(57)【特許請求の範囲】
【請求項１】
光学部品を保持する保持部材と、
前記光学部品が収納される光学部品用筐体と、
前記光学部品用筐体の外面に固定され、前記保持部材を前記光学部品用筐体に固定するためのベース部材とを備え、
前記光学部品用筐体の外面には、
前記保持部材を摺動可能に支持する支持面が形成され、
前記保持部材は、
前記光学部品を保持する保持部材本体と、
前記光学部品用筐体外部に突出し、前記支持面に支持される摺動部とを備え、
前記ベース部材は、
前記光学部品用筐体の外面に固定される固定部と、
前記固定部に対して略直交するように、前記固定部の端縁に一体形成されるように突出する突出部と、
前記摺動部を挟んで前記支持面に対向する対向部とを備え、
前記保持部材本体と、前記突出部とを挟持し、前記保持部材本体を前記突出部に付勢する付勢部材をさらに備える
ことを特徴とするプロジェクター。
【請求項２】
請求項１に記載のプロジェクターにおいて、
前記対向部は、
前記摺動部に当接し、前記摺動部を前記支持面に向けて付勢する
ことを特徴とするプロジェクター。
【請求項３】
請求項１または請求項２に記載のプロジェクターにおいて、
前記対向部には、
接着剤を塗布するための接着用切欠部が形成されている
ことを特徴とするプロジェクター。
【請求項４】
請求項１から請求項３のいずれかに記載のプロジェクターにおいて、
前記突出部における前記保持部材本体に対向する面は、
前記保持部材本体に当接する第１面と、
前記突出部を側方から見て、前記第１面に対して前記保持部材本体から離間する側に位置付けられる第２面とを備え、
前記第２面は、
前記突出部の外縁に連設されている
ことを特徴とするプロジェクター。
【請求項５】
請求項４に記載のプロジェクターにおいて、
前記突出部は、
前記固定部に接続し、
前記突出部及び前記固定部間には、
前記摺動部を挿通可能とする挿通孔が形成され、
前記対向部は、
前記挿通孔の縁部分に設けられている
ことを特徴とするプロジェクター。
【請求項６】
請求項４または請求項５に記載のプロジェクターにおいて、
前記付勢部材は、前記保持部材本体を前記第１面に向けて付勢する
ことを特徴とするプロジェクター。
【請求項７】
請求項４から請求項６のいずれかに記載のプロジェクターにおいて、
前記保持部材本体は、
光束を通過させるための通過用開口部を有する枠状に形成され、
前記突出部は、
前記光学部品に入射する光束の光軸に沿う方向から見て、前記摺動部及び前記通過用開口部間に位置付けられる
ことを特徴とするプロジェクター。
【発明の詳細な説明】
【技術分野】
【０００１】
本発明は、プロジェクターに関する。
【背景技術】
【０００２】
従来、複数の光学部品と、複数の光学部品が収納されて当該複数の光学部品を所定位置に配置する光学部品用筐体とを備えたプロジェクターが知られている（例えば、特許文献１参照）。
このようなプロジェクターにおいて、例えば、コントラストの高い投影画像を得るためには、光学部品である入射側偏光板を所望の姿勢に位置付ける必要がある。
このため、特許文献１に記載のプロジェクターでは、入射側偏光板の姿勢を調整するための姿勢調整機構が設けられている。
【０００３】
そして、プロジェクターの製造時には、以下のように、入射側偏光板の姿勢を調整する。
先ず、作業者は、入射側偏光板を姿勢調整機構に保持させ、光学部品用筐体の下部筐体内に入射側偏光板を含む姿勢調整機構を収納する。また、作業者は、下部筐体の上方側の開口部分を上部筐体にて閉塞する。
この状態で、作業者は、光学部品用筐体の上面に姿勢調整機構の位置調整専用の光軸調整治具を載置し、当該光軸調整治具を上部筐体に形成された孔を介して姿勢調整機構と係合させる。
この後、作業者は、光源を点灯させ、各光学部品及び投射レンズを介してスクリーン上に表示された投影画像を観察しながら、光軸調整治具を操作して姿勢調整機構を調整し、入射側偏光板の姿勢を調整する。
【先行技術文献】
【特許文献】
【０００４】
【特許文献１】特開２００４−００４５６２号公報
【発明の概要】
【発明が解決しようとする課題】
【０００５】
しかしながら、従来の光学部品用筐体では、入射側偏光板の姿勢調整を実施する際には、姿勢調整機構の位置調整専用の光軸調整治具が必要である。
したがって、プロジェクターを使用中に入射側偏光板の姿勢がずれた場合等には、専用の光軸調整治具を使用しなければならず、容易に入射側偏光板の姿勢調整を実施することが困難である、という問題がある。
【０００６】
本発明の目的は、光学部品の姿勢調整を容易に実施できるプロジェクターを提供することにある。
【課題を解決するための手段】
【０００７】
本発明のプロジェクターは、光学部品を保持する保持部材と、前記光学部品が収納される光学部品用筐体と、前記光学部品用筐体の外面に固定され、前記保持部材を前記光学部品用筐体に固定するためのベース部材とを備え、前記光学部品用筐体の外面には、前記保持部材を摺動可能に支持する支持面が形成され、前記保持部材は、前記光学部品を保持する保持部材本体と、前記光学部品用筐体外部に突出し、前記支持面に支持される摺動部とを備え、前記ベース部材は、前記光学部品用筐体の外面に固定される固定部と、前記摺動部を挟んで前記支持面に対向する対向部とを備えることを特徴とする。
【０００８】
ここで、光学部品としては、種々のものを採用でき、例えば、偏光板、位相差板、または、光学補償素子等を採用できる。
本発明では、光学部品を保持する保持部材は、光学部品用筐体の外面に形成された支持面上を摺動可能とする摺動部を備える。
このことにより、作業者は、従来のように専用の光軸調整治具を用いなくても、光学部品用筐体の外部から保持部材（摺動部）を操作し、摺動部を支持面上で摺動させることで、保持部材（光学部品）の姿勢調整を容易に実施できる。
また、プロジェクターは、光学部品用筐体の外面に固定される固定部、及び摺動部を挟んで支持面に対向する対向部を有するベース部材を備える。
このことにより、保持部材（光学部品）の姿勢調整後、対向部及び摺動部間に接着剤を塗布することで、ベース部材（光学部品用筐体）に対して保持部材（光学部品）を所望の姿勢で固定できる。
【０００９】
ところで、光学部品用筐体に対して保持部材を固定する手段として、ネジを採用した場合には、ネジを回転させた際に当該ネジと保持部材との摩擦力により当該ネジの回転に保持部材が連動し易いものとなる。すなわち、姿勢調整により保持部材（光学部品）を所望の姿勢に設定したにも拘らず、光学部品用筐体に対する保持部材の固定時において、ネジの回転に保持部材が連動することで、光学部品が所望の姿勢からずれ易いものとなる。
本発明では、上述したようにベース部材（光学部品用筐体）に対して保持部材を固定する手段として、接着剤を採用できるため、ベース部材に対する保持部材の固定時において、光学部品が所望の姿勢からずれることがない。
また、接着剤にて光学部品用筐体に直接、保持部材を固定するのではなく、光学部品用筐体に固定されたベース部材に対して、接着剤にて保持部材を固定している。
このことにより、光学部品用筐体に接着剤が不要に付着することがなく、さらには、光学部品用筐体内部に配設される光学部品に接着剤が付着してしまう恐れもない。
【００１０】
本発明のプロジェクターでは、前記対向部は、前記摺動部に当接し、前記摺動部を前記支持面に向けて付勢することが好ましい。
本発明では、対向部が摺動部を支持面に向けて付勢するように構成されているので、光学部品の姿勢調整時において、摺動部を支持面上で安定に摺動させることができる。このため、光学部品の姿勢調整を良好に実施できる。
また、姿勢調整により光学部品を所望の姿勢に設定した後、対向部の付勢力によって、保持部材を当該所望の姿勢で仮固定できる。このため、光学部品の姿勢調整後、接着剤を塗布する作業に移行する間に、光学部品が所望の姿勢からずれることがなく、光学部品を所望の姿勢で良好に固定できる。
【００１１】
本発明のプロジェクターでは、前記対向部には、接着剤を塗布するための接着用切欠部が形成されていることが好ましい。
本発明では、対向部に上述した接着用切欠部が形成されているので、光学部品の姿勢調整後、接着用切欠部に接着剤を塗布すれば、対向部及び摺動部間の広い領域に亘って接着剤を充填することができる。このため、ベース部材に対する保持部材の固定状態を安定に維持でき、すなわち、光学部品を所望の姿勢で安定に維持できる。
【００１２】
本発明のプロジェクターでは、前記ベース部材は、前記固定部の端縁に一体形成され前記固定部に対して略直交するように突出する突出部を備え、前記突出部における前記保持部材本体に対向する面は、前記保持部材本体に当接する第１面と、前記突出部を側方から見て、前記第１面に対して前記保持部材本体から離間する側に位置付けられる第２面とを備え、前記第２面は、前記突出部の外縁に連設されていることが好ましい。
【００１３】
本発明では、ベース部材において、固定部の端縁に一体形成され当該固定部に対して略直交するように突出する突出部には、上述した第１面が設けられている。
このことにより、支持面上の他、第１面上で保持部材を摺動させることができる。このため、保持部材を安定に移動させることが可能となり、光学部品の姿勢調整を良好に実施することが可能となる。
また、突出部には、第１面に対して保持部材本体から離間する側に位置付けられ、かつ、突出部の外縁に連設される第２面が設けられている。
このことにより、光学部品の姿勢調整後、対向部及び摺動部間の他、第２面及び保持部材本体間にも接着剤を塗布すれば、ベース部材に対する保持部材の固定状態をさらに良好に維持できる。
【００１４】
本発明のプロジェクターでは、前記突出部は、前記固定部に接続し、前記突出部及び前記固定部間には、前記摺動部を挿通可能とする挿通孔が形成され、前記対向部は、前記挿通孔の縁部分に設けられていることが好ましい。
本発明では、突出部及び固定部間に上述した挿通孔が形成され、対向部が挿通孔の縁部分に設けられているので、光学部品、保持部材、及びベース部材を組み合わせたユニット自体をコンパクトに纏めることができ、当該ユニット自体の小型化が図れる。
【００１５】
本発明のプロジェクターでは、前記保持部材本体を前記第１面に向けて付勢する付勢部材を備えることが好ましい。
本発明では、プロジェクターが保持部材本体を第１面に向けて付勢する付勢部材を備えるので、光学部品の姿勢調整時において、保持部材本体を第１面上で安定に摺動させることができ、光学部品の姿勢調整を良好に実施できる。
また、姿勢調整により光学部品を所望の姿勢に設定した後、付勢部材の付勢力によって、保持部材を当該所望の姿勢で仮固定できる。このため、光学部品の姿勢調整後、接着剤を塗布する作業に移行する間に、光学部品が所望の姿勢からずれることがなく、光学部品を所望の姿勢で良好に固定できる。
【００１６】
本発明のプロジェクターでは、前記保持部材本体は、光束を通過させるための通過用開口部を有する枠状に形成され、前記突出部は、前記光学部品に入射する光束の光軸に沿う方向から見て、前記摺動部及び前記通過用開口部間に位置付けられることが好ましい。
本発明では、突出部は、上述した位置に位置付けられている。言い換えれば、突出部は、保持部材本体よりも小さいサイズに設定され、すなわち、必要最低限のサイズに設定されている。このため、ベース部材の小型化及び軽量化が図れ、ひいては、光学部品、保持部材、及びベース部材を組み合わせたユニット自体の小型化及び軽量化が図れる。
【図面の簡単な説明】
【００１７】
【図１】本実施形態におけるプロジェクターの概略構成を示す図。
【図２】本実施形態における光学ユニットを示す斜視図。
【図３】本実施形態における上部筐体の構成を示す斜視図。
【図４】本実施形態における偏光板ユニットの構成を示す図。
【図５】本実施形態における偏光板ユニットの構成を示す図。
【図６】本実施形態における入射側偏光板の姿勢調整方法を説明するための図。
【発明を実施するための形態】
【００１８】
以下、本発明の実施の一形態を図面に基づいて説明する。
〔プロジェクターの構成〕
図１は、プロジェクター１の概略構成を示す図である。
プロジェクター１は、画像を投射してスクリーン（図示略）上に投影画像を表示する。
そして、このプロジェクター１は、図１に示すように、外装筐体２内部に収納される光学ユニット３を備える。
【００１９】
〔光学ユニットの構成〕
図２は、光学ユニット３を示す斜視図である。
光学ユニット３は、図２に示すように、光学部品用筐体４と、光学部品用筐体４に支持される投射光学装置としての投射レンズ５とを備える。
そして、光学部品用筐体４には、図１に示すように、光源ランプ３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、３つの偏光板ユニット６と、光変調装置としての３つの液晶パネル３５と、３つの出射側偏光板３６と、色合成光学装置としてのクロスダイクロイックプリズム３７とが収納される。
【００２０】
そして、光学ユニット３では、上述した構成により、光源装置３１から出射され照明光学装置３２を介した光束は、色分離光学装置３３にて赤（Ｒ），緑（Ｇ），青（Ｂ）の３つの色光に分離される。また、分離された各色光は、各液晶パネル３５にてそれぞれ変調される。変調された各色光は、プリズム３７にて合成され、投射レンズ５にてスクリーンに投射される。
なお、上述した各部材３１〜３７，５は、一般的なプロジェクターで用いられる構成であるため、以下では、光学部品用筐体４、及び偏光板ユニット６の構成のみを説明する。
【００２１】
〔光学部品用筐体の構成〕
図３は、上部筐体４２の構成を示す斜視図である。
なお、図３では、説明の便宜上、Ｇ色光側の偏光板ユニット６のみを上部筐体４２に取り付けた状態を示している。
光学部品用筐体４は、図２に示すように、下部筐体４１と、上部筐体４２とを備える。
下部筐体４１は、各部材３１〜３７が収納される部分であり、容器状に形成されている。
上部筐体４２は、下部筐体４１における容器状の開口部分に取り付けられる蓋状に形成されている。
【００２２】
この上部筐体４２において、上方側から見て（図１の紙面に直交する方向から見て）、プリズム３７が配設される位置には、図３に示すように、プリズム３７における３つの光入射面３７１（図１）に沿う３つの縁部分４２１Ａを有する切欠部４２１が形成されている。
【００２３】
また、上部筐体４２において、上面（光学部品用筐体４の外面）には、図３に示すように、３つのユニット取付部４３が設けられている。なお、上述したように、図３では、Ｇ色光側の偏光板ユニット６のみが上部筐体４２に取り付けられているため、３つのユニット取付部４３のうち、Ｒ，Ｂ色光側の２つのユニット取付部４３が主に図示されている。
３つのユニット取付部４３は、３つの縁部分４２１Ａに近接した位置にそれぞれ設けられ、３つの偏光板ユニット６が取り付けられる部分である。
なお、３つのユニット取付部４３は、同様の構成であるため、以下では、１つのユニット取付部４３のみを説明する。
【００２４】
ユニット取付部４３は、図３に示すように、一対の位置決め突起４３１と、第１固定用孔４３２と、支持部４３３とを備える。
一対の位置決め突起４３１は、上方側に突出する円柱形状を有し、偏光板ユニット６の後述するベース部材９を位置決めする部分である。
そして、一対の位置決め突起４３１は、上方側から見て、縁部分４２１Ａの延出方向に沿って並設されている。
第１固定用孔４３２は、一対の位置決め突起４３１間に設けられ、ネジＳｃ（図２、図３）により、ベース部材９を固定するためのネジ孔である。
【００２５】
支持部４３３は、図３に示すように、一対の位置決め突起４３１及び第１固定用孔４３２に対して縁部分４２１Ａ側に設けられ、偏光板ユニット６の後述する保持部材８を摺動可能に支持する部分である。
そして、支持部４３３の上面４３３Ａは、上方に向けて凸となる曲面形状を有する。
より具体的に、上面４３３Ａは、支持する偏光板ユニット６に入射する光束の光軸Ａｘ（図６参照）に沿う方向から見て、光軸Ａｘを中心とする円弧形状を有する。
なお、上述した上面４３３Ａは、本発明に係る支持面に相当する。以下では、上面４３３Ａを支持面４３３Ａと記載する。
【００２６】
また、支持部４３３の中央部分には、図３に示すように、支持面４３３Ａから下方に向けて窪む凹部４３３Ｂが形成されている。
この凹部４３３Ｂは、縁部分４２１Ａに連通するように形成されている。
また、縁部分４２１Ａにおいて、凹部４３３Ｂを挟む両側には、図３に示すように、光出射側に突出する当接部４２１Ｂがそれぞれ形成されている。
これら当接部４２１Ｂの各先端は、平坦状に形成され、光軸Ａｘに対して直交する同一平面上に位置するように設定されている。
【００２７】
〔偏光板ユニットの構成〕
図４及び図５は、偏光板ユニット６の構成を示す図である。具体的に、図４は偏光板ユニット６が組み立てられた状態を光出射側から見た斜視図であり、図５は光出射側から見た偏光板ユニット６の分解斜視図である。
３つの偏光板ユニット６は、図１に示すように、各液晶パネル３５の光入射側にそれぞれ配設される。
なお、３つの偏光板ユニット６は、同様の構成であるため、以下では、１つの偏光板ユニット６のみを説明する。
偏光板ユニット６は、図４または図５に示すように、光学部品としての入射側偏光板７と、保持部材８と、ベース部材９と、付勢部材としてのクリップ１０とを備える。
入射側偏光板７は、矩形板体状に形成され、入射した光束のうち、偏光変換素子３２３で揃えられた偏光方向と略同一の偏光方向を有する光束のみを透過させる。
【００２８】
〔保持部材の構成〕
保持部材８は、入射側偏光板７を保持し、支持面４３３Ａ上を摺動することで、入射側偏光板７の姿勢を調整する。
この保持部材８は、図４または図５に示すように、保持部材本体８１と、摺動部８２とを備える。
保持部材本体８１は、図５に示すように、光束を通過させるための矩形状の通過用開口部８１１を有する矩形枠状の板体で構成されている。
ここで、通過用開口部８１１の縁部分、及び保持部材本体８１の外縁部分には、図４または図５に示すように、光出射側に突出し、入射側偏光板７の外縁を支持する複数の支持用突起８１２が形成されている。
そして、入射側偏光板７は、通過用開口部８１１を閉塞し、外縁が複数の支持用突起８１２に支持された状態で保持部材本体８１に取り付けられる。
【００２９】
保持部材本体８１において、通過用開口部８１１の上方側には、図４または図５に示すように、光軸Ａｘを中心とする円弧状に延びる２つのトラック孔８１３が形成されている。
なお、２つのトラック孔８１３は、光軸Ａｘに沿う方向から見て、光軸Ａｘを通る鉛直軸Ｖを中心として対称となる位置にそれぞれ形成されている（図６参照）。
また、保持部材本体８１において、上縁部分には、図４または図５に示すように、上方側に突出する２つの接着剤受け部８１４が形成されている。
２つの接着剤受け部８１４は、光軸Ａｘに沿う方向から見て、左右両側にそれぞれ設けられ、上方側に向うにしたがって光出射側に向うように傾斜している。
【００３０】
摺動部８２は、保持部材本体８１の上縁部分に一体形成されるとともに、光学部品用筐体４に対して偏光板ユニット６を取り付けた状態で、切欠部４２１を介して光学部品用筐体４外部に突出し、支持面４３３Ａに支持される部分である。
より具体的に、摺動部８２は、図４または図５に示すように、保持部材本体８１の上縁部分において、２つの接着剤受け部８１４の間に一体形成され、当該上縁部分から光入射側に突出する。
なお、摺動部８２は、光軸Ａｘに沿う方向から見て鉛直軸Ｖ上に位置付けられている（図６参照）。
また、摺動部８２は、支持面４３３Ａに倣う形状、すなわち、光軸Ａｘに沿う方向から見て、光軸Ａｘを中心とする円弧状に形成されている。
【００３１】
また、摺動部８２には、図４または図５に示すように、上方側に突出し、作業者により操作される操作つまみ８２１が設けられている。
さらに、摺動部８２及び保持部材８には、摺動部８２及び保持部材８の接続部分を跨ぎ、クリップ１０を挿通可能とする付勢用開口部８３が形成されている。
なお、付勢用開口部８３は、光軸Ａｘに沿う方向から見て鉛直軸Ｖ上に位置付けられている（図６参照）。
【００３２】
〔ベース部材の構成〕
ベース部材９は、上部筐体４２の上面（光学部品用筐体４の外面）に固定され、保持部材８を上部筐体４２に固定するための部材である。
このベース部材９は、図４または図５に示すように、固定部９１と、突出部９２と、対向部９３とを備える。
固定部９１は、上部筐体４２の上面に固定される部分であり、矩形状の板体で構成されている。
【００３３】
この固定部９１には、図４または図５に示すように、上部筐体４２の上面に形成された一対の位置決め突起４３１に対応した一対の位置決め用孔９１１と、第１固定用孔４３２に対応した第２固定用孔９１２とが形成されている。
そして、一対の位置決め用孔９１１に一対の位置決め突起４３１がそれぞれ挿通されることで、上部筐体４２に対してベース部材９が位置決めされる。
また、第２固定用孔９１２を介してネジＳｃが挿通され、第１固定用孔４３２に螺合されることで、上部筐体４２に対してベース部材９が固定される。
【００３４】
突出部９２は、固定部９１に対して略直交するように、固定部９１の光出射側（縁部分４２１Ａに近接する側）の端縁に一体形成された矩形状の板体で構成されている。
そして、突出部９２は、上部筐体４２に対してベース部材９が取り付けられた状態で、切欠部４２１を介して光学部品用筐体４内部に突出するとともに、上部筐体４２の当接部４２１Ｂの先端に当接する。
また、突出部９２は、上部筐体４２に対して偏光板ユニット６が取り付けられた状態で、光軸Ａｘに沿う方向から見て、摺動部８２及び通過用開口部８１１間に位置付けられる。言い換えれば、突出部９２は、光軸Ａｘに沿う方向から見て、切欠部４２１から通過用開口部８１１の上縁近傍まで延出するように形成されている（図６参照）。
この突出部９２において、光出射側の端面（保持部材本体８１に対向する面）は、図５に示すように、第１面９２１と、第２面９２２とを備える。
【００３５】
第１面９２１は、上部筐体４２に対してベース部材９が取り付けられた状態で、光軸Ａｘに対して直交する平坦状に形成され、偏光板ユニット６を組み立てた状態で保持部材本体８１が当接する面である。
第２面９２２は、突出部９２を側方から見て、第１面９２１に対して光入射側（保持部材本体８１から離間する側）に位置付けられている。
より具体的に、第２面９２２は、突出部９２における上方側で、かつ、左右両側に２つ設けられ、突出部９２の外縁、及び固定部９１の上面に連設されている。
【００３６】
また、第１面９２１には、図４または図５に示すように、保持部材本体８１に形成された２つのトラック孔８１３に対応し、各トラック孔８１３にそれぞれ挿通する円柱状の２つの案内突起９２３が形成されている。
そして、上述した固定部９１及び突出部９２には、固定部９１及び突出部９２の接続部分を跨ぎ、摺動部８２を挿通可能とする挿通孔９１３が形成されている。
【００３７】
対向部９３は、挿通孔９１３の縁部分に形成され、固定部９１に対して弾性変形可能に構成されている。
そして、対向部９３は、上部筐体４２に対して偏光板ユニット６が取り付けられた状態で、摺動部８２を挟んで支持面４３３Ａに対向する。
より具体的に、対向部９３は、摺動部８２に当接して支持面４３３Ａに向けて付勢する。
この対向部９３において、先端部分には、図４または図５に示すように、接着剤を塗布するための接着用切欠部９３１が形成されている。
【００３８】
〔入射側偏光板の姿勢調整方法〕
次に、入射側偏光板７の姿勢調整方法について説明する。
図６は、入射側偏光板７の姿勢調整方法を説明するための図である。具体的に、図６は、偏光板ユニット６を光軸Ａｘに沿う方向から見た（光出射側から見た）図である。
先ず、作業者は、以下のように、偏光板ユニット６を組み立てる。
すなわち、作業者は、保持部材８に対して入射側偏光板７を取り付け、挿通孔９１３に摺動部８２を挿通するとともに、各トラック孔８１３に各案内突起９２３が挿通されるように、ベース部材９に対して保持部材８をあてがう。
そして、作業者は、付勢用開口部８３及び挿通孔９１３にクリップ１０を挿通し、クリップ１０に保持部材本体８１及び突出部９２を挟持させる。
すなわち、クリップ１０は、保持部材本体８１を第１面９２１に向けて付勢する。
そして、この状態では、クリップ１０は、図６に示すように、光軸Ａｘに沿う方向から見て鉛直軸Ｖ上に位置付けられている。
【００３９】
次に、作業者は、一対の位置決め突起４３１、第１固定用孔４３２、一対の位置決め用孔９１１、第２固定用孔９１２、及びネジＳｃを利用して、上述したように組み立てた偏光板ユニット６のベース部材９を上部筐体４２に位置決め及び固定する。
このように上部筐体４２に偏光板ユニット６を取り付けることで、支持面４３３Ａ上に摺動部８２が支持されるとともに、対向部９３にて支持面４３３Ａに向けて摺動部８２が付勢される。
【００４０】
上述したように３つの偏光板ユニット６を上部筐体４２に取り付けた後、作業者は、以下のように、３つの偏光板ユニット６を構成する各入射側偏光板７の姿勢調整を実施する。
作業者は、光源装置３１を点灯させ、各部材３２〜３７，７、及び投射レンズ５を介してスクリーンに投射された投影画像を確認しながら、当該投影画像のコントラストが最大となるように、入射側偏光板７の姿勢調整を実施する。
すなわち、作業者は、図６に示すように、上方側に突出した操作つまみ８２１を左右に移動させる。これにより、保持部材８（入射側偏光板７）は、各トラック孔８１３が各案内突起９２３に案内されながら、摺動部８２が支持面４３３Ａ上を摺動し、光軸Ａｘを中心として回転する。
【００４１】
そして、作業者は、上述したように入射側偏光板７を回転させ、投影画像のコントラストが最大となる位置に位置付けた後、以下に示すように、上部筐体４２に対して保持部材８を固定する。
すなわち、作業者は、偏光板ユニット６の上方側から、接着用切欠部９３１に向けて接着剤を塗布するとともに、第２面９２２と保持部材本体８１との間に接着剤を塗布する。
このように接着剤を塗布することで、対向部９３に対して摺動部８２が固定されるとともに、突出部９２に対して保持部材本体８１が固定される。
【００４２】
上述した本実施形態によれば、以下の効果がある。
本実施形態では、保持部材８は、切欠部４２１を介して光学部品用筐体４外部に突出し、支持面４３３Ａ上を摺動可能とする摺動部８２を備える。
このことにより、作業者は、従来のように専用の光軸調整治具を用いなくても、光学部品用筐体４の外部から保持部材８（操作つまみ８２１）を操作し、摺動部８２を支持面４３３Ａ上で摺動させることできる。すなわち、入射側偏光板７の姿勢調整を容易に実施できる。
【００４３】
また、プロジェクター１は、固定部９１及び対向部９３を有するベース部材９を備える。
このことにより、入射側偏光板７の姿勢調整後、対向部９３及び摺動部８２間に接着剤を塗布することで、ベース部材９（光学部品用筐体４）に対して保持部材８を所望の姿勢で固定できる。
さらに、ベース部材９に対して保持部材８を固定する手段として、接着剤を採用できるため、ベース部材９に対する保持部材８の固定時において、入射側偏光板７が所望の姿勢からずれることがない。
また、接着剤にて光学部品用筐体４に直接、保持部材８を固定するのではなく、光学部品用筐体４に固定されたベース部材９に対して、接着剤にて保持部材８を固定している。
このことにより、光学部品用筐体４に接着剤が不要に付着することがなく、さらには、光学部品用筐体４内部に配設される液晶パネル３５等の部材に接着剤が付着してしまう恐れもない。
【００４４】
また、対向部９３が摺動部８２を支持面４３３Ａに向けて付勢するように構成されているので、入射側偏光板７の姿勢調整時において、摺動部８２を支持面４３３Ａ上で安定に摺動させることができる。このため、入射側偏光板７の姿勢調整を円滑に実施できる。
さらに、姿勢調整により入射側偏光板７を所望の姿勢に設定した後、対向部９３の付勢力によって、保持部材８を当該所望の姿勢で仮固定できる。このため、入射側偏光板７の姿勢調整後、接着剤を塗布する作業に移行する間に、入射側偏光板７が所望の姿勢からずれることがなく、入射側偏光板７を所望の姿勢で良好に固定できる。
【００４５】
また、対向部９３に接着用切欠部９３１が形成されているので、入射側偏光板７の姿勢調整後、接着用切欠部９３１に接着剤を塗布すれば、対向部９３及び摺動部８２間の広い領域に亘って接着剤を充填することができる。
このため、ベース部材９に対する保持部材８の固定状態を安定に維持でき、すなわち、入射側偏光板７を所望の姿勢で安定に維持できる。
【００４６】
さらに、ベース部材９において、切欠部４２１を介して光学部品用筐体４内部に突出する突出部９２には、第１面９２１が設けられている。
このことにより、支持面４３３Ａ上の他、第１面９２１上で保持部材８を摺動させることができる。このため、保持部材８を安定に移動させることが可能となり、入射側偏光板７の姿勢調整を良好に実施することが可能となる。
また、突出部９２には、第１面９２１に対して光入射側に位置付けられ、かつ、突出部９２の外縁、及び固定部９１の上面に連設される第２面９２２が設けられている。
このことにより、入射側偏光板７の姿勢調整後、対向部９３及び摺動部８２間の他、第２面９２２及び保持部材本体８１間にも接着剤を塗布すれば、ベース部材９に対する保持部材８の固定状態をさらに良好に維持できる。
また、保持部材８には第２面９２２に対応した位置に２つの接着剤受け部８１４が設けられているので、第２面９２２及び保持部材本体８１間への接着剤の塗布作業を容易に実施できる。
【００４７】
さらに、突出部９２及び固定部９１間に挿通孔９１３が形成され、対向部９３が挿通孔９１３の縁部分に設けられているので、偏光板ユニット６自体をコンパクトに纏めることができ、偏光板ユニット６の小型化が図れる。
また、プロジェクター１がクリップ１０を備えるので、入射側偏光板７を第１面９２１上で安定に摺動させることができ、入射側偏光板７の姿勢調整を良好に実施できる。
【００４８】
さらに、対向部９３の付勢力とともに、クリップ１０の付勢力によって、保持部材８を当該所望の姿勢で仮固定できるので、入射側偏光板７の姿勢調整後、入射側偏光板７が所望の姿勢からずれることがなく、入射側偏光板７を所望の姿勢でさらに良好に固定できる。
また、突出部９２は、切欠部４２１及び通過用開口部８１１間に位置付けられている。言い換えれば、突出部９２は、保持部材本体８１よりも小さいサイズに設定され、すなわち、必要最低限のサイズに設定されている。このため、ベース部材９の小型化及び軽量化が図れ、ひいては、偏光板ユニット６の小型化及び軽量化が図れる。
【００４９】
さらに、対向部９３及びクリップ１０により、鉛直軸Ｖに沿う方向、及び光軸Ａｘに沿う方向への保持部材８の移動を規制できるので、光軸Ａｘを中心として入射側偏光板７を良好に回転させることができる。
また、光軸Ａｘに沿う方向から見て、摺動部８２（支持面４３３Ａ）が鉛直軸Ｖ上に位置付けられているとともに、各案内突起９２３（各トラック孔８１３）が鉛直軸Ｖを中心として対称となる位置に位置付けられているので、光軸Ａｘを中心とする入射側偏光板７の回転を安定化させることができる。
さらに、光軸Ａｘに沿う方向から見て、クリップ１０が鉛直軸Ｖ上に位置付けられているので、入射側偏光板７の姿勢調整時に、保持部材本体８１を第１面９２１に向けて安定に付勢することができる。
【００５０】
なお、本発明は前述の実施形態に限定されるものではなく、本発明の目的を達成できる範囲での変形、改良等は本発明に含まれるものである。
前記実施形態では、本発明に係る光学部品として入射側偏光板７を採用していたが、これに限らず、出射側偏光板３６、位相差板、または、光学補償素子等を採用しても構わない。
前記実施形態において、透過型の液晶パネル３５の代わりに、反射型の液晶パネルや、マイクロミラーを用いたデバイス等、液晶以外の光変調素子を採用しても構わない。
前記実施形態において、入射側偏光板７の姿勢調整方法は、前記実施形態で説明した姿勢調整方法に限らない。
例えば、前記実施形態では、スクリーン上の投影画像を確認しながら入射側偏光板７の姿勢調整を実施していたが、これに限らず、プリズム３７から出射される姿勢調整用の光束をＣＣＤカメラ等で直接、検出しながら姿勢調整を実施する方法を採用しても構わない。
【産業上の利用可能性】
【００５１】
本発明は、プレゼンテーションやホームシアター等に用いられるプロジェクターに利用できる。
【符号の説明】
【００５２】
１・・・プロジェクター、４・・・光学部品用筐体、７・・・入射側偏光板（光学部品）、８・・・保持部材、９・・・ベース部材、１０・・・クリップ（付勢部材）、８１・・・保持部材本体、８２・・・摺動部、９１・・・固定部、９２・・・突出部、９３・・・対向部、４３３Ａ・・・上面（支持面）、８１１・・・通過用開口部、９１３・・・挿通孔、９２１・・・第１面、９２２・・・第２面、９３１・・・接着用切欠部。
【図１】
0005861330.tif 000002
【図２】
0005861330.tif 000003
【図３】
0005861330.tif 000004
【図４】
0005861330.tif 000005
【図５】
0005861330.tif 000006
【図６】
0005861330.tif 000007